(57)【要約】【課題】点灯したときに高照度の光が所望の位置に照射されるように、消灯時に高照度ユニットの向きを調整することが可能な照明装置を提供する。【解決手段】レンズ５０の面上にルーバフィルム６０を設け、さらに高照度照明部２０の照射角と、ルーバフィルム６０の視野角とを等しくすることによって、高照度照明部２０から出射される光が照射される位置を、高照度照明部２０が消灯された状態で調整することができる。これにより、利用者は眩しさを感じることなく高照度照明部２０からの光を所望の位置に照射することができる。【選択図】図３
2018078011.tif 000002
【特許請求の範囲】
【請求項１】
出射面の方向を変えることによって所望の位置に光を照射させることが可能な第１照明ユニットを備えた照明装置であって、
前記第１照明ユニットは、
基板上に取り付けられた複数の光源と、
前記複数の光源のそれぞれに対応して設けられた複数のレンズと、
前記複数のレンズの面上に配置されたルーバを備え、
前記複数の光源と前記複数のレンズと前記ルーバとは一体的に形成され、
前記光源の照射角と前記ルーバの視野角は実質的に同一であることを特徴とする、照明装置。
【請求項２】
前記照射角は、１／１０ビーム角であり、
前記視野角は、ゼロ視野角以上であって１／１０視野角以下であることを特徴とする、請求項１に記載の照明装置。
【請求項３】
前記照射角は全角で３０°以下であることを特徴とする、請求項２に記載の照明装置。
【請求項４】
前記視野角と前記照射角は、下記の式を満たすことを特徴とする、請求項１に記載の照明装置。
１≦視野角／照射角≦１．２
【請求項５】
前記ルーバの形状はフィルム状であることを特徴とする、請求項１に記載の照明装置。
【請求項６】
前記ルーバの形状はパネル状であることを特徴とする、請求項１に記載の照明装置。
【請求項７】
前記ルーバは、所定のピッチで一方向に配列された複数の遮光層からなることを特徴とする、請求項１に記載の照明装置。
【請求項８】
前記ルーバは、所定のピッチで一方向に配列された複数の遮光層と、前記一方向と直交する方向に所定のピッチで配列された複数の遮光層とからなることを特徴とする、請求項１に記載の照明装置。
【請求項９】
前記第１照明ユニットは、
前記光源と前記レンズと前記ルーバとを含み、かつ前記光源から出射される光を所望の位置に照射できるように傾斜角の調整が可能な照明部と、
前記光源を駆動する駆動回路を収納する回路部とを含み、
前記回路部は固定して設置され、前記照明部は傾斜角調整軸によって前記回路部に対して回転可能に取り付けられていることを特徴とする、請求項１に記載の照明装置。
【請求項１０】
前記第１照明ユニットの前記照明部は複数の部分ユニットに分割され、前記複数の部分ユニットの傾斜角は互いに独立して調整可能であることを特徴とする、請求項９に記載の照明装置。
【請求項１１】
前記第１照明ユニットの照度よりも小さい照度の光を照射する第２照明ユニットをさらに備えていることを特徴とする、請求項１に記載の照明装置。
【請求項１２】
前記第１照明ユニットと前記第２照明ユニットはいずれか一方を点灯したときに他方を消灯するように連動して制御されることを特徴とする、請求項１１に記載の照明装置。
【請求項１３】
前記第１照明ユニットは、前記第２照明ユニットによって囲まれるように一体的に形成されていることを特徴とする、請求項１１に記載の照明装置。
【請求項１４】
前記第１照明ユニットと前記第２照明ユニットとは、互いに分離して設置されていることを特徴とする、請求項１１に記載の照明装置。
【請求項１５】
前記第２照明ユニットは、睡眠前の利用者がいる室内全体を暖色系の色の光によって室内全体を照明し、前記第１照明ユニットは、前記利用者の起床予定時刻の直前から前記利用者の顔に照度が１５００ｌｘ以上となる光を照射することを特徴とする、請求項１３または１４に記載の照明装置。
【請求項１６】
前記第２照明ユニットは、睡眠前の利用者がいる室内全体をさくら色の光によって室内全体を照明し、前記第１照明ユニットは、前記利用者の起床予定時刻の直前から前記利用者の顔に照度が１５００ｌｘ以上となる光を照射することを特徴とする、請求項１３または１４に記載の照明装置。
【請求項１７】
前記ルーバはデザインを施された装飾層を有することを特徴とする、請求項１に記載の照明装置。
【発明の詳細な説明】
【技術分野】
【０００１】
以下の開示は、照明装置に関し、特に、高照度の光を照射する照明装置に関する。
【背景技術】
【０００２】
図２８は、高照度の光を睡眠中の利用者の顔に照射した従来の状態を示す図であり、図２９は、高照度の光を睡眠中の利用者の胸に照射した従来の状態を示す図である。近年、図２８に示すように、高照度照明装置１１０を用いて、起床予定時刻の少し前から利用者の顔に高照度の光を照射し始め、目覚めた後もしばらくの間、照射を続ける。これにより、目覚めを促す脳内物質であるセロトニンが活性化され、その状態が夜まで続くと、セロトニンは睡眠を促すホルモンであるメラトニンに変化する。このように、利用者は起床時に高照度の光を浴びるとその日の夜に自然に眠りにつくことができるので、眠りの質を高めることが知られている。一方、図２９に示すように、利用者の胸部など、顔以外の部分に高照度照明装置１１０の光を照射しても眠りの質を改善するのにあまり役立たないこともわかっている。
【０００３】
特許文献１には、ＬＥＤ（Light Emitting Device）と、レンズと、遮光ルーバとが一体的に形成された照明器具が開示されている。ＬＥＤの光の進行方向はレンズによって制御されるが、一部の光はレンズ内で屈折して目的としない方向に照射される。このため、照明器具では、レンズの外側に遮光ルーバを設けることによって、レンズからの光が目的としない方向に広がらないようにしている。このような照明器具から出射される高照度の光を眠りから覚める前後の利用者の顔に照射すれば、利用者の眠りの質を改善することができる。
【先行技術文献】
【特許文献】
【０００４】
【特許文献１】特開２００９−１２９７５０号公報
【発明の概要】
【発明が解決しようとする課題】
【０００５】
しかし、睡眠の質を改善するためには、少なくとも照度が１５００ｌｘ以上の光を利用者の顔に照射する必要がある。特許文献１に記載の照明器具がこのような高照度の光を出射している状態で、照明器具からの光が利用者の顔に照射されるように照明器具の向きを調整しようとしても、眩しさのために利用者は照明器具を直視することができない。このため、照明器具が点灯されている状態で、その向きを調整することは困難である。また、照明器具を消灯している状態では、光の照射方向がわからないため、利用者が照明器具の向きを調整することは困難である。
【０００６】
そこで以下の開示は、点灯したときに高照度の光が所望の位置に照射されるように、消灯時に高照度ユニットの向きを調整することが可能な照明装置を提供することを目的とする。
【課題を解決するための手段】
【０００７】
本発明の第１の局面は、出射面の方向を変えることによって所望の位置に光を照射させることが可能な第１照明ユニットを備えた照明装置であって、
前記第１照明ユニットは、
基板上に取り付けられた複数の光源と、
前記複数の光源のそれぞれに対応して設けられた複数のレンズと、
前記複数のレンズの面上に配置されたルーバを備え、
前記複数の光源と前記複数のレンズと前記ルーバとは一体的に形成され、
前記光源の照射角と前記ルーバの視野角は実質的に同一であることを特徴とする。
【０００８】
本発明の第２の局面は、本発明の第１の局面において、
前記照射角は、１／１０ビーム角であり、
前記視野角は、ゼロ視野角以上であって１／１０視野角以下であることを特徴とする。
【０００９】
本発明の第３の局面は、本発明の第２の局面において、
前記照射角の範囲は全角で３０°以下であることを特徴とする。
【００１０】
本発明の第４の局面は、本発明の第１の局面において、
前記視野角と前記照射角は、下記の式を満たすことを特徴とする。
１≦視野角／照射角≦１．２
【００１１】
本発明の第５の局面は、本発明の第１の局面において、
前記ルーバの形状はフィルム状であることを特徴とする。
【００１２】
本発明の第６の局面は、本発明の第１の局面において、
前記ルーバの形状はパネル状であることを特徴とする。
【００１３】
本発明の第７の局面は、本発明の第１の局面において、
前記ルーバは、所定のピッチで一方向に配列された複数の遮光層からなることを特徴とする。
【００１４】
本発明の第８の局面は、本発明の第１の局面において、
前記ルーバは、所定のピッチで一方向に配列された複数の遮光層と、前記一方向と直交する方向に所定のピッチで配列された複数の遮光層とからなることを特徴とする。
【００１５】
本発明の第９の局面は、本発明の第１の局面において、
前記第１照明ユニットは、
前記光源と前記レンズと前記ルーバとを含み、かつ前記光源から出射される光を所望の位置に照射できるように傾斜角の調整が可能な照明部と、
前記光源を駆動する駆動回路を収納する回路部とを含み、
前記回路部は固定して設置され、前記照明部は傾斜角調整軸によって前記回路部に対して回転可能に取り付けられていることを特徴とする。
【００１６】
本発明の第１０の局面は、本発明の第９の局面において、
前記第１照明ユニットの前記照明部は複数の部分ユニットに分割され、前記複数の部分ユニットの傾斜角は互いに独立して調整可能であることを特徴とする。
【００１７】
本発明の第１１の局面は、本発明の第１の局面において、
前記第１照明ユニットの光度よりも小さい光度の光を照射する第２照明ユニットをさらに備えていることを特徴とする。
【００１８】
本発明の第１２の局面は、本発明の第１１の局面において、
前記第１照明ユニットと前記第２照明ユニットはいずれか一方を点灯したときに他方を消灯するように連動して制御されることを特徴とする。
【００１９】
本発明の第１３の局面は、本発明の第１１の局面において、
前記第１照明ユニットは、前記第２照明ユニットによって囲まれるように一体的に形成されていることを特徴とする。
【００２０】
本発明の第１４の局面は、本発明の第１１の局面において、
前記第１照明ユニットと前記第２照明ユニットとは、互いに分離して設置されていることを特徴とする。
【００２１】
本発明の第１５の局面は、本発明の第１３または第１４の局面において、
前記第２照明ユニットは、睡眠前の利用者がいる室内全体を暖色系の色の光によって室内全体を照明し、前記第１照明ユニットは、前記利用者の起床予定時刻の直前から前記利用者の顔に照度が１５００ｌｘ以上となる光を照射することを特徴とする。
【００２２】
本発明の第１６の局面は、本発明の第１３または第１４の局面において、
前記第２照明ユニットは、睡眠前の利用者がいる室内全体をさくら色の光によって室内全体を照明し、前記第１照明ユニットは、前記利用者の起床予定時刻の直前から前記利用者の顔に照度が１５００ｌｘ以上となる光を照射することを特徴とする。
【００２３】
本発明の第１７の局面は、本発明の第１の局面において、
前記ルーバはデザインを施された装飾層を有することを特徴とする。
【発明の効果】
【００２４】
本発明の第１の局面によれば、レンズの面上にルーバを設け、さらに光源の照射角と、ルーバの視野角とを実質的に等しくすることによって、第１照明ユニットから出射される光が照射される位置を、第１照明ユニットが消灯された状態で調整することができる。これにより、利用者は眩しさを感じることなく第１照明ユニットからの光を所望の位置に照射することができる。また、第１照明ユニットが消灯されているときに蜂の巣状に配置されたレンズ面の見える位置が少なくなるので、利用者の受ける不快感は軽減される。
【００２５】
本発明の第２の局面によれば、ルーバの視野角を、１／１０ビーム角と一致する１／１０視野角以上であって、１／１０ビーム角よりも大きいゼロ視野角以下にする。この場合、光源の照射角とルーバの視野角は実質的に同一になるので、第２の局面による場合も第１の局面の場合と同じ効果を達成できる。
【００２６】
本発明の第３の局面によれば、照射角の範囲を全角で３０°以下とすることにより、第１照明ユニットからの光を所望の位置に照射する際の調整のマージンを確保することが可能になる。また、視野角の範囲も狭くなるので、蜂の巣状に配置されたレンズ面が見える範囲が狭くなり不快感が軽減される。
【００２７】
本発明の第４の局面は、第２の局面と同じことを式によって表しているので、第４の局面による場合も第２の局面の場合と同じ効果を達成できる。
【００２８】
本発明の第５の局面によれば、ルーバの形状はフィルム状であるので、ルーバの厚みは薄くかつ軽い。これにより、ルーバフィルムが貼られた第１照明ユニットも薄くかつ軽くすることができる。
【００２９】
本発明の第６の局面によれば、ルーバの形状はパネル状であるため、ルーバの機械的強度が優れている。これにより、ルーバパネルが貼られた第１照明ユニットの保護が強化される。
【００３０】
本発明の第７の局面によれば、ルーバは一方向に配列された複数の遮光層からなるので、利用者が遮光層の配列方向から第１照明ユニットを見たときには、レンズ面が見えないので、不快感が軽減される。また、光源を消灯した状態で配列方向と直交する方向から見たときにレンズ面が見えるので、利用者は眩しさを感じることなく、第１照明ユニットからの光が所望の位置に照射されるように調整することができる。
【００３１】
本発明の第８の局面によれば、ルーバは一方向に配列された複数の遮光層と、それと直交する方向に配列された複数の遮光層からなるので、利用者には第１照明ユニットの正面から見たときだけしかレンズ面が見えないので、より一層不快感が軽減される。また、光源を消灯した状態で正面から見たときにレンズ面が見えるので、利用者は眩しさを感じることなく、第１照明ユニットからの光が所望の位置に照射されるように調整することができる。
【００３２】
本発明の第９の局面によれば、第１照明ユニットでは、照明部が回路部に対して回転可能となるように傾斜角調整軸によって取り付けられている。このため、照明部を回転させて傾斜角を変えることにより、光を所望の位置に照射することができる。
【００３３】
本発明の第１０の局面によれば、照明照射部は複数の部分ユニットに分割され、それらは独立して傾斜角を調整することができる。このため、光を照射したい所望の位置が複数ある場合でも、各位置に照明照射部からの光を照射することができる。
【００３４】
本発明の第１１の局面によれば、照明装置は、第１照明ユニットだけでなく、照度の小さい光を照射する第２照明ユニットも備えているので、照明の目的に応じてこれら２つの照明ユニットを使い分けることができる。
【００３５】
本発明の第１２の局面によれば、第１照明ユニットと、第２照明ユニットは、いずれか一方を点灯したとき、他方を消灯するように連動している。これにより、第１照明ユニットと第２照明ユニットが同時に点灯されることがないので、一方の照明ユニットによる効果が他方の照明によって影響を受けることなく、各照明ユニットの効果が十分に達成される。
【００３６】
本発明の第１３の局面によれば、第１照明ユニットは、第２照明ユニットと一体的に形成されているので、照明装置としてコンパクトにまとまり設置しやすくなる。また、第１照明ユニットと第２照明ユニットの距離が近いので、連動させるための制御を容易に行うことができる。
【００３７】
本発明の第１４の局面によれば、第１照明ユニットと第２照明ユニットとが分離されているので、それぞれの照明ユニットを目的に応じた最適な位置に設置することができる。
【００３８】
本発明の第１５の局面によれば、睡眠前には暖色系の色の光によって室内全体を照明して利用者の寝つきを良くする。また、起床予定時刻の直前から１５００ｌｘの光を利用者の顔に照射して、セロトニンを活性化させて眠りの質を高めることができる。
【００３９】
本発明の第１６の局面によれば、睡眠前に桜色の光によって室内全体を照明することにより、睡眠時に副交感神経の優位な状態に移行する。このため、さくら色の光を照射すれば、暖色系の光を照射する場合よりもさらに睡眠の質が高められる。
【００４０】
本発明の第１７の局面によれば、利用者は、第１ユニットを点灯したときに光が特定の方向に照射されるようにあらかじめ調整しておくことができるだけでなく、デザイン性に優れた装飾層を設けることによって、消灯時のシーリングライトのデザイン性が向上するとともに、シーリングライトを周囲の家具のデザインと調和させやすくなる。
【図面の簡単な説明】
【００４１】
【図１】本発明の第１の実施形態に係るシーリングライトの外観を示す斜視図である。
【図２】角形シーリングライトの外観を示す斜視図である。
【図３】図１に示すシーリングライトに組み込まれた高照度ユニットの平面図である。
【図４】図３に示す高照度照明部の構成を示す断面図である。
【図５】図３に示す高照度照明部の表面に貼られた１軸ルーバフィルムの構成を示す斜視図である。
【図６】図４に示す高照度ユニットの動きを示す断面図であり、より詳しくは、（Ａ）は高照度ユニットの構成と動きを示す断面図であり、（Ｂ）はシーリングライトに組み込まれた高照度ユニットの動きを示す断面図である。
【図７】図３に示す高照度ユニットの高照度照明部を見たときの見え方を示す図であり、より詳しくは、（Ａ）は、高照度照明部をその前方から見た場合の見え方を示す図であり、（Ｂ）は、高照度照明部をその周辺部から見た場合の見え方を示す図である。
【図８】図３に示す高照度照明部が通常照明ユニットに対して傾斜しているときに、利用者の位置と、レンズ面の見え方との関係を示す図である。
【図９】図３に示す高照度照明部に使用可能な２軸ルーバフィルムの構成を示す斜視図である。
【図１０】図９に示す２軸ルーバフィルムをレンズ面に貼った状態の高照度ユニットの平面図である。
【図１１】図３に示す高照度照明部の照射角を説明するための図である。
【図１２】１／１０ビーム角を説明するための図である。
【図１３】ルーバフィルムの視野角を説明するための図である。
【図１４】ゼロ視野角が照射角よりも大きい場合を示す図である。
【図１５】照射角と１／１０視野角が等しい場合を示す図である。
【図１６】ゼロ視野角の範囲が照射角の範囲よりも狭い場合を示す図である。
【図１７】照射角とゼロ視野角の範囲が等しい場合を示す図である。
【図１８】ルーバフィルムの厚みおよびピッチが視野角に及ぼす影響を示す図である。
【図１９】第１の実施形態における応用例である、睡眠中の利用者の顔に高照度の光を照射したときの状態を示す図である。
【図２０】本発明の第２の実施形態のシーリングライトの外観を示す図である。
【図２１】図２０に示すシーリングライトに組み込まれた高照度ユニットの平面図である。
【図２２】図２０に示すシーリングライトによって、室内に置かれた２台のベッドに光を照射する図である。
【図２３】本発明の第３の実施形態において、高照度ユニットが組み込まれたシーリングライトの使用状態を示す図である。
【図２４】本発明の第３の実施形態において、高照度ユニットが通常照明ユニットと分離して設置されたシーリングライトの使用状態を示す図である。
【図２５】本発明の第４の本実施形態のシーリングライトの外観を示す図である。
【図２６】本発明の第４の本実施形態のシーリングライトに含まれる高照度ユニットの構成を示す図である。
【図２７】本発明の第４の本実施形態のシーリングライトに含まれる高照度ユニットの表面に設けられた１軸ルーバフィルムと装飾層との関係を示す図である。
【図２８】高照度の光を睡眠中の利用者の顔に照射した従来の状態を示す図である。
【図２９】高照度の光を睡眠中の利用者の胸に照射した従来の状態を示す図である。
【発明を実施するための形態】
【００４２】
以下、本発明の各実施形態について、図面を参照しながら詳細に説明する。
【００４３】
＜１．第１の実施形態＞
＜１．１  液晶表示装置の構成＞
図１は、本発明の第１の実施形態に係るシーリングライト１００の外観を示す斜視図である。図１に示すように、本実施形態の丸形シーリングライト１００は、家庭の寝室や病院の病室などの天井に設置され、中央部に配置された高照度ユニット１０と、高照度ユニット１０を囲むように配置された通常照明ユニット８０とを有する。なお、シーリングライト１００の形状は丸形に限定されず、例えば図２に示すような角形シーリングライト１０１であっても良い。
【００４４】
図３は、図１に示すシーリングライト１００に組み込まれた高照度ユニット１０の平面図である。図３に示すように、高照度ユニット１０は高照度照明部２０と回路部２５を含み、高照度照明部２０は複数のＬＥＤ（図示しない）と、複数のレンズ５０と、ルーバフィルム６０とを含む。回路部２５は、ＬＥＤの点灯／消灯や発光色などを制御したり、各ＬＥＤの発光色を制御したりする駆動回路（図示しない）を収納している。なお、利用者の睡眠の質を改善するためには、少なくとも照度が１５００ｌｘ以上の光を利用者の顔に照射しなければならない。そこで、本明細書に記載した高照度照明部２０は、利用者の顔における照度が１５００ｌｘ以上の光を出射する照明部をいう。
【００４５】
図４は、図３に示す高照度照明部２０の構成を示す断面図である。図４に示すように、高照度照明部２０は、基板３０に取り付けられた複数のＬＥＤ４０と、各ＬＥＤ４０の光を特定の方向に出射する複数のレンズ５０とルーバフィルム６０とがこの順で積層されることにより、一体的に形成されている。レンズ５０は各ＬＥＤ４０に対応して１個ずつ設けられ、ＬＥＤ４０の光の出射方向を制御する。なお、ルーバフィルム６０の構成および高照度照明部２０におけるルーバフィルム６０の役割については後述する。
【００４６】
図５は、図３に示す高照度照明部２０の表面に貼られた１軸ルーバフィルム６０の構成を示す斜視図である。図５に示すように、ルーバフィルム６０は、長方形の形状をした複数の遮光層６１が平行になるように配置され、各遮光層６１の間に透明層６２が挟まれた構成であり、より詳しくは、遮光層６１は、その長辺がＸ方向に延びるように配置され、Ｙ方向に所定のピッチで配列されている。このように、１方向のみに延びる遮光層６１を含むルーバフィルム（１軸ルーバフィルム６０）は、図３に示すように、遮光層６１の各長辺方向が傾斜角調整軸７０に対して垂直になるようにして高照度照明部２０に貼られている。
【００４７】
ルーバフィルム６０の代わりに、板状のルーバパネルをレンズ５０の面上に設けても良い。これらのルーバはいずれも、アクリル樹脂、ポリカーボネート樹脂、シリコーン樹脂などからなり、遮光層６１と透明層６２が交互に配置されているので透光性が高い。特にルーバフィルムは厚みが薄いため、ルーバフィルム６０が貼られた高照度照明部２０の厚みを薄くし、軽量化を図ることができる。一方、ルーバパネルはルーバフィルムに比べて厚いので、機械的強度に優れている。
【００４８】
高照度照明部２０によってＬＥＤ４０の光を所望の位置に照射できるようにするため、高照度照明部２０の角度を調整することができる。図６は、高照度ユニット１０の動きを示す断面図であり、より詳しくは、図６（Ａ）は高照度ユニット１０の構成と動きを示す断面図であり、図６（Ｂ）はシーリングライト１００に組み込まれた高照度ユニット１０の動きを示す断面図である。図６（Ａ）および図６（Ｂ）に示すように、高照度ユニット１０は、高輝度のＬＥＤとレンズが配置された高照度照明部２０と、駆動回路を収納する回路部２５とを含み、回路部２５はシーリングライトの本体８５に固定されている。高照度照明部２０は、傾斜角調整軸７０を中心軸として回路部２５の回りに回転可能に取り付けられ、任意の角度で固定できるようになっている。このため、高照度照明部２０を所望の角度で固定して点灯させることにより、高照度照明部２０からの光を所望の位置に照射することができる。
【００４９】
高照度照明部２０の裏面には、固定部２１が設けられている。固定部２１は、高照度照明部２０をシーリングライト１００の本体８５に収納する際に、プッシュロック、プッシュオープンラッチや磁石を利用するなどの方式によって、高照度照明部２０を固定する。なお、高照度照明部２０の傾斜角の調整は、手動あるいはサーボモータを使用した電動方式によって行われる。電動方式の場合、利用者はリモコンを用いて離れた位置から高照度照明部２０の傾斜角の調整を行うことができる。
【００５０】
図７は、図３に示す高照度ユニット１０の高照度照明部２０を見たときの見え方を示す図であり、図７（Ａ）は、高照度照明部２０をその前方から見た場合の見え方を示す図であり、図７（Ｂ）は、高照度照明部２０をその周辺部から見た場合の見え方を示す図である。レンズ５０の面上にルーバフィルム６０が貼られているので、高照度照明部２０の前方にいる利用者には、図７（Ａ）に示すように、蜂の巣状に配置されたレンズ５０の表面が見える。しかし、高照度照明部２０の正面からはずれた位置による利用者には、ルーバフィルム６０が設けられているので、図７（Ｂ）に示すようにレンズ５０の表面は見えない。
【００５１】
図８は、高照度照明部２０が通常照明ユニット８０に対して傾斜しているときに、利用者の位置と、レンズ５０の表面の見え方との関係を示す図である。図８に示すように、利用者が高照度照明部２０の前方にいる場合には、蜂の巣状に配置されたレンズ５０の表面が見える。このとき、利用者は高照度照明部２０の照射範囲内にいるので、起床時、所望の位置である「寝ている利用者の顔」に光が照射されるように、高照度照明部２０を消灯した状態で傾斜角を調整することができる。一方、高照度照明部２０の左右方向および背面側にいる利用者には消灯時にレンズ表面が見えないので、レンズ面を見たときの不快感を覚えることがなくなる。
【００５２】
このように、本実施形態では、ＬＥＤ４０の光はレンズ５０を透過することによって特定の方向に出射されるように制御され、さらに高照度照明部２０の傾斜角を調整することによって特定の方向に照射される。このため、レンズ５０の表面上にルーバフィルム６０を設けなくても、光は特定の方向以外の方向に照射されることはない。しかし、さらにルーバフィルム６０を設けることによって、利用者が特定の方向から高照度照明部２０を見たときにのみ、レンズ５０の表面を見えるようにし、それ以外の方向から見たときにはレンズ５０の表面を見えないようになる。このような役割を有するルーバフィルム６０を設けることによって、利用者は、レンズ５０の表面が見える方向が高照度照明部２０の光の照射方向であると容易に認識できるようになる。このため、利用者は、高照度照明部２０が消灯された状態で、点灯時に高照度照明部２０から出射される光の照射向を調整することができる。
【００５３】
高照度ユニット１０を囲むように設けられた通常照明ユニット８０は、室内全体を照明するためのユニットであり、複数のＬＥＤ（図示しない）が基板上に配置されている。しかし、高照度ユニット１０の場合と異なり、通常照明ユニット８０はＬＥＤの光を特定の位置にのみ照射するのではなく、室内全体を一様に照射する。このため、レンズ５０およびルーバフィルム６０は設けられておらず、ＬＥＤは利用者から直接見えないようにカバーによって覆われている。また、通常照明ユニット８０のＬＥＤが取り付けられた基板はシーリングライト１００に固定された状態で使用されるので、高照度ユニット１０の場合と異なり、傾斜角調整軸は設けられていない。
【００５４】
また、高照度ユニット１０の場合と同様に、通常照明ユニット８０も、各ＬＥＤを駆動するとともに発光色などを制御する駆動回路を含む。なお、通常照明ユニット８０に設けられたＬＥＤの駆動回路と、高照度ユニット１０に設けられたＬＥＤ４０の駆動回路とは、高照度ユニット１０の回路部２５内に設けられた１枚の基板に形成されていても良く、あるいは複数の基板に分けて形成されていても良い。
【００５５】
互いに直交する方向に延びる遮光層６１を組みあわせたルーバフィルム（２軸ルーバフィルム）６０を高照度照明部２０に貼っても良い。図９は、２軸ルーバフィルム６０の構成を示す斜視図であり、図１０は、図９に示す２軸ルーバフィルム６０をレンズ５０の表面に貼った状態の高照度ユニット１０の平面図である。図９に示すように、２軸ルーバフィルム６０は、長辺が図９に示すＸ方向に延びる複数の遮光層６１をＹ方向に所定のピッチで配置し、各遮光層６１の間に透明層６２が挟まれたルーバ６３と、長辺がＹ方向に延びる遮光層６１をＸ方向に所定のピッチで配置し、各遮光層６１の間に透明層６２が挟まれたルーバ６４とを積層した構成になっている。これにより、利用者は、高照度照明部２０からの光の出射方向を調整する際に、高照度照明部２０の正面だけからレンズ面を見ることができ、高照度ユニットの周囲のいずれの方向からもレンズ面を見ることはできない。その結果、１軸ルーバフィルム６０を高照度照明部２０に貼った場合に比べて、２軸ルーバフィルム６０を貼った場合には、蜂の巣状のレンズ面が見える角度が狭くなるので、利用者の受ける不快感がより一層軽減される。
【００５６】
なお、本明細書では、シーリングライト１００を含む照明器具を「照明装置」と呼び、高照度ユニット１０を「第１照明ユニット」と呼び、通常照明ユニット８０を「第２照明ユニット」と呼ぶ場合がある。また、ＬＥＤ４０の代わりに、レーザ光源、有機ＥＬ素子、小型電球などを使用することができ、これらをまとめて「光源」と呼び、ルーバフィルム６０とルーバパネルをまとめて「ルーバ」と呼ぶ場合がある。
【００５７】
＜１．２  照射角および視野角の定義＞
高照度照明部２０の照射角とルーバフィルム６０の視野角との関係について説明する前に、以下の説明で使用する照射角および視野角の定義について説明する。図１１は、高照度照明部２０の照射角を説明するための図である。本明細書では、照射角は１／１０ビーム角であるとする。図１２は、１／１０ビーム角を説明するための図である。図１２に示すように、１／１０ビーム角とは、光源光の最大光度の方向を０度としたときに、光源光の最大光度の１／１０の光度の方向と、最大光度の方向とのなす角度の２倍の角度をいう。
【００５８】
図１３は、ルーバフィルム６０の視野角を説明するための図である。ルーバフィルム６０の視野角は、図１３に示すように、ルーバフィルム６０を通して見ることが可能な範囲、すなわち正規化された光線透過率が“０”よりも大きな全角範囲をいい、高照度ユニット１０の正面方向の角度を０度とする。また、１／１０視野角とは、図１３に示すように、光線透過率の正規化された値が“１／１０”以上の全角範囲をいう。なお、本明細書では、１／１０視野角と、正規化された光線透過率が“０”よりも大きな全角範囲を表す視野角とを区別する必要があるときは、後者の視野角を「ゼロ視野角」という場合がある。これに対し、本明細書における照射角は全て１／１０ビーム角であるので、本明細書では単に「照射角」という。
【００５９】
＜１．３  照射角と視野角との大小関係＞
高照度照明部２０の照射角とルーバフィルム６０の視野角との大小関係と、本実施形態との関係について説明する。なお、以下に説明する高照度照明部２０の照射角とルーバフィルム６０の視野角との大小関係を示す図１４〜図１７において、横軸は照射角および視野角の角度を０度からプラス方向およびマイナス方向の角度を示し、左側の縦軸はルーバフィルム６０の正規化された光線透過率を示し、右側の縦軸はＬＥＤ４０の正規化された光度を示す。以下の説明では、いずれの場合も照射角（１／１０ビーム角）の範囲は全角で３０°以下とし、視野角を変化させる。
【００６０】
また、以下の説明において照射角と視野角との大小関係を判定するときには、それらはいずれも正の値だけでなく負の値にもなる。このため、それらの大小関係を判定する際にはそれらの絶対値を比較する必要がある。しかし、以下の説明では、「絶対値」を省略して説明する。
【００６１】
まず、視野角が照射角よりも大きい場合について説明する。図１４は、ゼロ視野角が照射角よりも大きい場合を示す図である。図１４に示すように、ゼロ視野角の範囲は全角で１５０°以下であり、照射角の範囲である全角で３０°以下の場合と比べて広くなっている。この場合、利用者は照射角の範囲内の位置から高照度照明部２０を見たときに、高照度照明部２０が点灯されていれば高照度照明部２０からの光が利用者に照射され、消灯されていれば利用者はそのレンズ５０の表面を見ることができる。このため、利用者は、高照度照明部２０を消灯した状態で、点灯したときの高照度照明部２０の傾斜角を調整することにより光が所望の方向に照射されるように調整することができる。
【００６２】
しかし、利用者が照射角の範囲外の位置であって、ゼロ視野角の範囲内の位置にいるときには、高照度照明部２０が点灯されていても、高照度照明部２０からの光は利用者に照射されない。このため、利用者は、高照度照明部２０が点灯されたときにＬＥＤ４０からの光が所望の位置に照射されるように、消灯時に高照度照明部２０の傾斜角を調整することはできない。また、照射角の外側の位置にいる利用者にもレンズ５０の表面が見えるので、利用者は不快感を覚えやすくなる。
【００６３】
次に、照射角と１／１０視野角が等しい場合について説明する。図１５は、照射角と１／１０視野角が等しい場合を示す図である。図１５に示すように、照射角の範囲は全角で３０°以下であるので、１／１０視野角の範囲も全角で３０°以下とする。この場合、利用者は照射角の範囲内の位置から高照度照明部２０を見たとき、高照度照明部２０が点灯されていれば高照度照明部２０からの光が利用者に照射され、消灯されていれば利用者はそのレンズ５０の表面を見ることができる。このため、利用者は、高照度照明部２０を消灯した状態で、点灯したときの高照度照明部２０の傾斜角を調整することにより光が所望の位置に照射されるように調整することができる。
【００６４】
また、照射角の範囲外の位置は１／１０視野角の範囲外の位置でもある。これにより、利用者が視野角の範囲外の位置にいれば、高照度照明部２０からの光は利用者に照射されず、また利用者が高照度照明部２０を見てもそのレンズ５０の表面は見えないので、利用者は不快感を覚えることはない。
【００６５】
次に、ゼロ視野角の範囲が照射角の範囲よりも狭い場合について検討する。図１６は、ゼロ視野角の範囲が照射角の範囲よりも狭い場合を示す図である。図１６に示すように、照射角の範囲が全角で３０°以下である場合と比べて、ゼロ視野角の範囲は全角で２０°以下と狭い。この場合、ゼロ視野角の範囲内の位置にいる利用者は、高照度照明部２０が点灯されていれば高照度照明部２０からの光が利用者に照射され、高照度照明部２０が消灯されていれば利用者はそのレンズ５０の表面を見ることができる。このため、利用者は、高照度照明部２０が点灯されたときにＬＥＤ４０からの光が所望の位置に照射されるように、消灯時に高照度照明部２０の傾斜角を調整することができる。
【００６６】
しかし、高照度ユニット１０をシーリングライト１００に取り付ける際に生じる角度のばらつきが無視できなくなり、高照度照明部２０の傾斜角のマージンが少なくなる。これにより、高照度照明部２０の調整可能な傾斜角の範囲が狭くなるので、照射角の範囲が狭くなり、ＬＥＤ４０の光の利用効率が低下するという問題が生じる。
【００６７】
このように、視野角の範囲は照射角の範囲よりも広くなりすぎても、狭くなりすぎても問題があるので、両者はほぼ等しいことが好ましい。そこで、ルーバフィルム６０の視野角の範囲と高照度照明部２０の照射角の範囲とがほぼ等しい場合についてさらに詳細に検討する。
【００６８】
まず、１／１０視野角の範囲が照射角の範囲よりもわずかに広い場合について検討する。図１４に示す場合と同様に、１／１０視野角が照射角よりもわずかでも大きい位置にいる利用者は、高照度照明部２０を消灯させた状態で、高照度照明部２０からの光を所望の方向に出射させるように、高照度照明部の傾斜角を調整することはできない。このため、高照度照明部２０を含むシーリングライト１００の製造工程において生じるＬＥＤ４０、レンズ５０およびルーバフィルム６０の位置関係の許容されたばらつきに起因して１／１０視野角の範囲が照射角の範囲よりもわずかに広くなる製造時のばらつきの範囲が許容可能な限界であり、１／１０視野角が照射角よりも大きくなるように調整することは好ましくない。
【００６９】
次に、照射角とゼロ視野角の範囲が等しい場合について説明する。図１７は、照射角とゼロ視野角の範囲が等しい場合を示す図である。図１７に示すように、ゼロ視野角の範囲は、１／１０視野角の範囲よりも２〜４°程度広くなる。１／１０視野角の範囲内では、高照度照明部２０の点灯時の光の照射方向と、消灯時にレンズ面を見ることができる範囲が一致している。このため、消灯時に高照度照明部２０の傾斜角を調整することによって、高照度照明部２０の点灯時の光の照射方向を調整することができる。一方、ゼロ視野角の範囲外では、高照度照明部２０を点灯させても、ルーバフィルム６０の光線透過率が“０”であるため、光は照射されない。また、消灯時に高照度照明部２０を見てもレンズ面は見えない。
【００７０】
ゼロ視野角と１／１０視野角との間の範囲の扱いについて説明する。この範囲は、上記のように視野角の範囲内であるので、光が照射される範囲となる。しかし、この範囲では、照射される光の光度が低く、またルーバフィルム６０の光線透過率も低いので、実質的にゼロ視野角の範囲外と同じと見なすことができる。また、この範囲は、上記のように２〜４°と非常に狭い範囲であるため、実質的にゼロ視野角の範囲外と同じと見なしても、消灯時に行う光の出射方向の調整に与える影響は小さいと考えられる。このため、本明細書では、ゼロ視野角と１／１０視野角との間の範囲はゼロ視野角の範囲外として扱う。
【００７１】
このように、照射角の範囲がゼロ視野角の範囲よりも２〜４°程度大きい範囲でも、照射角と１／１０視野角とが等しい場合と同様に、利用者は高照度照明部２０の傾斜角を調整することができる。しかし、１／１０視野角が照射角よりも大きくなると、利用者は高照度照明部２０の傾斜角を調整することはできない。以上のことから、視野角と照射角とが実質的に等しい場合とは、照射角が１／１０視野角以上であってゼロ視野角以下の範囲であることがわかる。
【００７２】
図１８は、ルーバフィルム６０の厚みおよびピッチが視野角に及ぼす影響を示す図である。図１８から、ルーバフィルム６０の厚みとピッチのいずれもが基準値であるときの視野角を基準値とした場合、厚みが厚くなったり、ピッチが細かくなったりすれば、視野角は狭くなる。一方、厚みが薄くなったり、ピッチが粗くなったりすれば、視野角は広くなることがわかる。
【００７３】
＜１．４  応用例＞
図１９は、睡眠中の利用者の顔に高照度の光を照射したときの状態を示す図である。図１９に示すように、睡眠中の利用者の顔に光が直接照射されるように高照度ユニット１０の傾きを調整すれば、楕円形に広がった光が睡眠中の利用者に照射される。このとき、睡眠中の利用者の両目に確実に光を照射するためには、楕円形の短軸方向の長さは少なくとも１５０ｍｍ程度とする必要がある。そのためには、高照度照明部２０の照射角を４°以上であって、３０°以下にする必要があることがわかった。例えば、平均的な天井の高さが２４００ｍｍの室内において、高照度照明部２０の光が照射される方向を直下方向とした場合、照射面の短軸方向の長さを１５０ｍｍ以上とするためには、照射角の下限値を４°程度とする必要がある。一方、高照度ユニット１０の設置場所が天井以外の場所であって、３００ｍｍ程度の近い距離である場合には、照射角の上限値を３０°程度とする。これによって、照射面の短軸方向の長さを１５０ｍｍ以上とすることができる。なお、睡眠中の利用者の顔に照射するときの照射面の形状は、楕円形に限定されず、円形や四角形などであっても良い。
【００７４】
一方、照射角とゼロ視野角との関係から、ルーバフィルム６０のゼロ視野角を高照度照明部２０の照射角と一致させるために、ゼロ視野角も４°以上であって３０°以下にする必要がある。さらに、図１５に示すように、照射角と等しいのは、ゼロ視野角ではなく１／１０視野角であるとした場合、許容される範囲はさらに広くなり、１／１０視野角は４．８°以上であって３６°以下になる。以上のことから、照射角と視野角との関係は次式（１）で表される。
１≦ルーバの視野角／高照度ユニットの照射角≦１．２  …  （１）
【００７５】
＜１．５  効果＞
本実施形態によれば、ＬＥＤ４０の光はレンズ５０を透過することによって特定の方向に出射されるように制御され、さらに高照度照明部２０の傾斜角を調整することによって所望の位置に照射される。このため、レンズ５０の面上にルーバフィルム６０を設けなくても、ＬＥＤ４０の光は所望の位置以外の位置に照射されることはない。しかし、レンズ５０の面上にルーバフィルム６０を設け、さらに高照度照明部２０の照射角と、ルーバフィルム６０の視野角とを等しくすることによって、高照度照明部２０から出射される光が照射される位置を、高照度照明部２０が消灯された状態で調整することができる。これにより、利用者は眩しさを感じることなく高照度照明部２０からの光を所望の位置に照射することができる。また、利用者は、高照度照明部２０が消灯されているときに蜂の巣状に配置されたレンズ面が見える位置を少なくできるので、利用者の受ける不快感を軽減できる。
【００７６】
＜２．第２の実施形態＞
第１の実施形態では、１台のシーリングライト１００に組み込まれる高照度ユニット１０は１台であるとして説明した。しかし、１台のシーリングライト１００に２台またはそれ以上の高照度ユニット１０を組み込んでも良い。図２０は、本実施形態のシーリングライト１００の外観を示す図であり、図２１は、図２０に示すシーリングライト１００に組み込まれた高照度ユニット１０の平面図である。
【００７７】
図２１に示す高照度ユニット１０は、図３に示す場合と異なり、中央部の太線に示される傾斜角調整軸７１によって２つの部分ユニット２３、２４に分割されている。これらの部分ユニット２３、２４は、互いに独立して高照度の光を出射するように駆動される。例えば図２２に示すように、室内に２台のベッド９０が置かれている場合には、各ベッド９０の利用者の顔に高照度の光をそれぞれ照射することができる。
【００７８】
このように、１台のシーリングライト１００に複数のユニットに分割された高照度ユニット１０を組み込むことによって、一般家庭の寝室、病院、介護施設などにおいて高照度の光を照射すべき対象者が複数いる場合には、各利用者に同時に高照度の光を照射することができる。
【００７９】
また、部分ユニット２３、２４毎にタイマー機構を設けることによって、複数の利用者が同一の室内にいても各対象者の起床予定時刻に合わせて、高照度の光の照射を開始する時間を変えることができる。また、２つの傾斜角調整軸７０、７１をそれぞれ調整することにより、部分ユニット２３、２４毎に傾斜角を調整することができる。これにより、利用者が室内のどこにいても、利用者の顔に高照度の光を照射できるようになるので、ベッド９０の配置の自由度が高まる。
【００８０】
＜３．第３の実施形態＞
第３の実施形態に係るシーリングライト１００に含まれる高照度ユニット１０および通常照明ユニット８０の動作について説明する。図２３は、高照度ユニット１０が組み込まれたシーリングライト１００の使用状態を示す図である。シーリングライト１００は、人間の生体リズムを考慮し、時間帯によって明るさや色調を変える機能（サーカディアン機能）とタイマー機能を搭載している。第１の実施形態において説明したように、高照度ユニット１０はシーリングライト１００の中央に配置され、通常照明ユニット８０は高照度ユニット１０を囲むように配置されている。
【００８１】
睡眠前に利用者が青色成分を多く含む光を浴びると、不眠などの原因になると言われている。そこで、睡眠前の利用者の顔に、通常照明ユニット８０から出射される明るさを抑えた暖色系の光を照射し、利用者が熟睡できるようにする。また、起床予定時刻の直前から目覚めた後しばらくの期間は、高照度ユニット１０から出射される高照度の白色光を利用者の顔に照射する。これにより、利用者の脳内において  脳内物質の１つであるセロトニンが活性化され、利用者の睡眠の質が高められる。
【００８２】
さらに、睡眠前の利用者に照射する光として、暖色系の光の代わりに、さくら色（薄いピンク色）の光を照射すれば、睡眠時に副交感神経の優位な状態に移行する。このため、さくら色の光を照射すれば、暖色系の光を照射する場合よりもさらに睡眠の質が高められる。なお、通常照明ユニット８０および高照度ユニット１０のＬＥＤから出射される光の色は、第１の実施形態で説明したように、高照度ユニット１０の回路部２５に設けられた駆動回路によって制御される。
【００８３】
また、第３の実施形態に係るシーリングライト１００では、高照度の光を利用者の顔に照射するための高照度ユニット１０と、室内全体を明るくための通常照明ユニット８０とが分離して天井に設置されていても良い。図２４は、高照度ユニット１０が通常照明ユニット８０と分離して設置されたシーリングライトの使用状態を示す図である。図２４に示すように、高照度ユニット１０と通常照明ユニット８０とは分離して天井に設置され、それらは連動して動作する。高照度ユニット１０および通常照明ユニット８０の動作は、図２３に示すシーリングライトの動作と同じであるため、それらの説明を省略する。なお、高照度ユニット１０の設置場所は天井に限定されず、例えば枕元や壁面などであっても良い。
【００８４】
図２２に示すように、室内に２台のベッド９０が置かれており、各ベッド９０にそれぞれ利用者が寝ている場合には、各利用者の顔に高照度の光を照射する必要がある。この場合、通常照明ユニット８０と分離された高照度ユニット１０を２台設置する。これにより、各利用者にそれぞれ高照度の光を照射することができるので、各利用者の睡眠の質をそれぞれ高めることができる。複数台の高照度ユニット１０を設置する場合には、各高照度ユニット１０はそれぞれ通常照明ユニット８０と連動して制御される。
【００８５】
また、本実施形態では、高照度ユニット１０は、目覚める直前の利用者に光を照射する場合を例に挙げて説明したが、高照度ユニット１０のその他の用途としては、例えば裁縫などの細かい作業をしている作業者の手元を照らして作業をしやすくするために使用することも可能である。
【００８６】
＜２．第４の実施形態＞
図２５は、本実施形態のシーリングライト１０２の外観を示す図である。図２５に示すシーリングライト１０２は、図１に示すシーリングライト１００と同様に、中央部に配置された高照度ユニット１０と、高照度ユニット１０を囲むように配置された通常照明ユニット８０とを備えている。
【００８７】
図２６は、高照度ユニット１０の構成を示す図である。図２６に示すように、高照度ユニット１０の全面に配置された複数のＬＥＤ４０のそれぞれに対応してレンズ５０が設けられ、レンズ５０は装飾層９２を含むルーバフィルム（図示しない）によって覆われている。
【００８８】
図２７は、レンズ面上に装飾層９２を含む１軸ルーバフィルム６０が設けられた高照度照明部２０を示す図である。図２７に示すルーバフィルム６０は、図５に示す遮光層６１と透明層６２とが交互に配置された１軸ルーバフィルム６０であり、装飾層９２を有する。装飾層９２は、交互に配置された遮光層６１と透明層６２に絵柄の形に貫通孔を形成し、当該貫通孔を透明層６２と同等の透明材料を充填することによって光を透過するようにした層からなる。
【００８９】
高照度照明部２０が点灯されているとき、ルーバフィルム６０の１／１０視野角の範囲内である正面方向から高照度照明部２０を見た場合には、高輝度の光のために装飾層９２は見えない。しかし、ルーバフィルム６０のゼロ視野角の範囲外となる側面方向から高照度照明部２０を見た場合には、装飾層９２を透過したＬＥＤ４０の光が見えるので、利用者は装飾層９２に施された絵柄を見ることができる。
【００９０】
高照度照明部２０が消灯されているとき、ルーバフィルム６０の１／１０視野角の範囲内である正面方向から高照度照明部２０を見た場合には、レンズ面とともに装飾層９２も見える。また、ルーバフィルム６０のゼロ視野角の範囲外となる側面方向から高照度照明部２０を見た場合には、太陽光などの環境光が装飾層９２を透過するので、利用者は装飾層９２に施された絵柄を見ることができる。
【００９１】
このように、レンズ面が見えるのは、消灯されている高照度照明部２０を正面方向から見た場合だけであり、それ以外の方向からは見た利用者はレンズ面を見たことによる不快感を覚えることはない。また、デザイン性に優れた装飾層９２を有するルーバフィルム６０をシーリングライト１０２に設けることによって、高照度ユニット１０の点灯時および消灯時のいずれにおいても、シーリングライト１０２を周囲に配置された家具などのデザインと調和させやすくなる。
【符号の説明】
【００９２】
１０…高照度ユニット（第１照明ユニット）
２０…高照度照明部
２３、２４…部分ユニット
２５…回路部
４０…ＬＥＤ（光源）
５０…レンズ
６０…ルーバフィルム（ルーバ）
７０、７１…傾斜角調整軸
８０…通常照明ユニット（第２照明ユニット）
９２…装飾層
１００…シーリングライト
【図１】
2018078011.tif 000003
【図２】
2018078011.tif 000004
【図３】
2018078011.tif 000005
【図４】
2018078011.tif 000006
【図５】
2018078011.tif 000007
【図６】
2018078011.tif 000008
【図７】
2018078011.tif 000009
【図８】
2018078011.tif 000010
【図９】
2018078011.tif 000011
【図１０】
2018078011.tif 000012
【図１１】
2018078011.tif 000013
【図１２】
2018078011.tif 000014
【図１３】
2018078011.tif 000015
【図１４】
2018078011.tif 000016
【図１５】
2018078011.tif 000017
【図１６】
2018078011.tif 000018
【図１７】
2018078011.tif 000019
【図１８】
2018078011.tif 000020
【図１９】
2018078011.tif 000021
【図２０】
2018078011.tif 000022
【図２１】
2018078011.tif 000023
【図２２】
2018078011.tif 000024
【図２３】
2018078011.tif 000025
【図２４】
2018078011.tif 000026
【図２５】
2018078011.tif 000027
【図２６】
2018078011.tif 000028
【図２７】
2018078011.tif 000029
【図２８】
2018078011.tif 000030
【図２９】
2018078011.tif 000031